(57)【要約】【課題】  サッシ枠の下枠の加工における工数の増加及び複雑化を抑制でき、かつ、引違障子の召合せ部における水密性を十分に確保でき、しかも、サッシの防火性能を向上させることができる風止板を提供する。【解決手段】  サッシ枠２の下枠２ｂと、外障子５及び内障子６の召合せ部との間に配置される風止板４に、サッシ枠２の下枠２ｂに設けられ、かつ、外障子５に当接する外側気密材が取り付けられた取付部２２に挿入されるガイド片４５を設ける。【選択図】図６Ｂ
2019132080.tif 000002
【特許請求の範囲】
【請求項１】
サッシ枠と、引違障子の召合せ部の端部との間に配置される風止板であって、
前記サッシ枠に設けられ、且つ、気密材を取り付ける取付部に、スライドさせるガイド片を有する風止板。
【請求項２】
前記ガイド片は、前記取付部に係止する係止部が設けられた弾性片を備える請求項１に記載の風止板。
【請求項３】
前記係止部は、突起である請求項２に記載の風止板。
【請求項４】
前記弾性片は、前記ガイド片の先端側から片持ちに設けられている請求項２又は３に記載の風止板。
【請求項５】
前記風止板には、加熱発泡材が取り付けられている請求項１〜４のいずれかに記載の風止板。
【請求項６】
請求項１〜５のいずれかに記載の風止板と、サッシ枠と、前記サッシ枠に建て込まれた外障子と内障子の少なくとも１つの引違障子とを備えるサッシ。
【発明の詳細な説明】
【技術分野】
【０００１】
本発明は、引違障子の召合せ部の水密ラインを構成する風止板及び該風止板を備えるサッシに関する。
【背景技術】
【０００２】
採光や換気等を目的として、建物の開口部にサッシ枠を設け、このサッシ枠に、外障子と内障子とからなる引違障子を取り付けた引違サッシが使用されている。このような引違サッシでは、サッシ枠の下枠と、内障子下部及び外障子下部との間から雨水が室内に浸入することを防止するために、サッシ枠の下枠における内障子と外障子の召し合せ部と対向した位置に、風止板を取り付けたものがある。
【０００３】
例えば特開平９−２４２２３号公報（特許文献１）には、サッシ枠の下枠の突出横板の長手方向中間部に形成された取付開口部及び切欠部に嵌合させて風止板を取り付けることにより、サッシ枠の下枠と、内障子下部及び外障子下部との間から雨水が室内に浸入することを防止することが記載されている（例えば段落〔０００１〕、〔００３２〕及び図８）。
【先行技術文献】
【特許文献】
【０００４】
【特許文献１】特開平９−２４２４４３号公報
【発明の概要】
【発明が解決しようとする課題】
【０００５】
特許文献１の風止板では、風止板を取り付けるための取付開口部及び切欠部を形成しなければならず、サッシ枠の下枠の加工に必要な工数が増加し、加工が複雑になる。また、取付開口部及び切欠部は、上面と下面とを貫通するように、サッシ枠の下枠に形成されている。そのため、取付開口部及び切欠部と風止板との隙間に浸入した雨水は、室内にまで浸入する可能性があり、引違障子の召合せ部における水密性を十分に確保することができていない。
【０００６】
また近年では、火災が発生した場合にも閉塞状態を維持して火炎を貫通させない防火性能がサッシに求められている。しかしながら、特許文献１に記載の従来の風止板では、取付開口部及び切欠部と風止板との隙間から火炎が室内に到達するため、要求される防火性能を達成することができていない。
【０００７】
本発明は、上記の課題を解決すべくなされたものであり、サッシ枠の下枠の加工における工数の増加及び複雑化を抑制でき、かつ、引違障子の召合せ部における水密性を十分に確保でき、しかも、サッシの防火性能を向上させることができる風止板を提供することを目的とする。
【課題を解決するための手段】
【０００８】
上記課題を解決するための本発明の風止板は、サッシ枠と、引違障子の召合せ部の端部との間に配置される風止板であって、前記サッシ枠に設けられ、且つ、気密材を取り付ける取付部に、スライドさせるガイド片を有する、ことを特徴とするものである。
【０００９】
本発明の風止板においては、前記ガイド片は、前記取付部に係止する係止部が設けられた弾性片を備えるものであることが好ましい。この場合、係止部は、突起であることが好ましい。さらにこの場合には、前記弾性片は、前記ガイド片の先端側から片持ちに設けられていることが好ましい。
【００１０】
また本発明の風止板においては、風止板には、加熱発泡材が取り付けられていることが好ましい。
【００１１】
本発明のサッシは、本発明の風止板と、サッシ枠と、前記サッシ枠に建て込まれた外障子と内障子の少なくとも１つの引違障子とを備える、ことを特徴とするものである。
【発明の効果】
【００１２】
本発明によれば、サッシ枠の下枠の加工における工数の増加及び複雑化を抑制でき、かつ、引違障子の召合せ部における水密性を十分に確保でき、しかも、サッシの防火性能を向上させることができる風止板を提供することができる。
【図面の簡単な説明】
【００１３】
【図１】一実施形態にかかるサッシの縦方向における断面の構成の概略を示す図
【図２】一実施形態にかかるサッシの横方向における断面の構成の概略を示す図
【図３】図１のサッシ枠の下枠並びに外障子及び内障子の下框の拡大図
【図４】サッシ枠の横方向略中央部分における下枠を、室外側から見た斜視図
【図５Ａ】一実施形態にかかる風止板の斜視図
【図５Ｂ】一実施形態にかかる風止板の正面図
【図５Ｃ】一実施形態にかかる風止板の平面図
【図５Ｄ】一実施形態にかかる風止板の底面図
【図５Ｅ】一実施形態にかかる風止板の背面図
【図５Ｆ】一実施形態にかかる風止板の右側面図
【図５Ｇ】一実施形態にかかる風止板の左側面図
【図６Ａ】風止板を取り付けた状態の図１のサッシ枠の下枠並びに外障子及び内障子の下框の要部拡大横断面図
【図６Ｂ】風止板を取り付けた状態の図１のサッシ枠の下枠並びに外障子及び内障子の下框の要部拡大縦断面図
【図７】加熱発泡材の取付位置を示す風止板の斜視図
【図８】他の風止板を取り付けた状態の図１のサッシ枠の下枠並びに外障子及び内障子の下框の拡大図
【図９】加熱発泡材の取付位置を示す他の風止板の斜視図
【図１０】変形例にかかるサッシの全体を示す概略図である。
【図１１】変形例にかかるサッシのサッシ枠の下枠並びに外障子及び内障子の下框の縦方向における断面の構成の概略を示す図
【図１２】変形例にかかるサッシの横方向における断面の構成の概略を示す図
【図１３】他の変形例にかかるサッシのサッシ枠の下枠並びに外障子及び内障子の下框の縦方向における断面の構成の概略を示す図
【図１４】振れ止め金具の取付状態を示す図
【図１５】加熱発泡材の取付位置を示す振れ止め金具の斜視図である。
【発明を実施するための形態】
【００１４】
以下、本発明の実施形態について、図面を参照して詳細に例示説明する。
なお、本明細書においては、共通する構成には、共通する用語を用いると共に、各図において略同一に図示して詳細な説明は省略し、必要に応じて同一の符号で示すこととする。
本発明の風止板４は、図３以下に図示するように、サッシ枠２に取付けられた引違障子３の閉止状態において、サッシ枠２の下枠２ｂと引違障子３の召合せ部との間に配置されるもので、サッシ枠２の下枠２ｂに設けられ、かつ、外障子５に当接する気密材が取り付けられる取付部２２に挿入されるガイド片４５を有するものである。
図１は、本発明の一実施形態にかかる風止板を備えるサッシ１の縦方向における断面の構成の概略を示す図であり、図２はサッシ１の横方向における断面の構成の概略を示す図である。本実施形態におけるサッシ１は、サッシ枠２と、サッシ枠２に建て込まれた引違障子３と、風止板４とを備えるものである。本実施形態では、引違障子３は、外障子５と内障子６とから構成されている。なお、図１においては、風止板４は図示されていない。
【００１５】
サッシ枠２は、例えば、上枠２ａと、下枠２ｂと、左右の縦辺を構成する竪枠２ｃ及び２ｄとにより、矩形に構成することができ、各枠材２ａ〜２ｄには、それぞれアルミニウム合金の一体押し出し成型材を用いることができる。サッシ枠２には、引違障子３を構成する外障子５及び内障子６が面内方向に移動自在に且つ引き違い式に建て込まれている。
外障子５及び内障子６は、例えば、矩形枠状の框枠体５ａ及び６ａと、框枠体の内側に嵌め込まれたガラスパネル５ｂ及び６ｂとからそれぞれ構成することができる。框枠体５ａ及び６ａは、上框５ｃ及び６ｃと、下框５ｄ及び６ｄと、召合せ框５ｅ及び６ｅと、戸先框５ｆ及び６ｆとからなる。これら各框もまた、アルミニウム合金の一体押し出し成型材を用いることができる。
【００１６】
召合せ框５ｅ及び６ｅは、戸先框がサッシ枠２の横方向端部に位置して、竪枠２ｃ及び２ｄに突き合わされた状態において、サッシ枠２の横方向（見付方向）略中央に位置して、室内外方向に重なり合うことで、召合せ部を構成する。本明細書においては、このような、召合せ框同士が室内外方向に重なり合い、戸先框がサッシ枠に突き合わされた状態を、外障子及び内障子の閉止状態、即ち外障子と内障子とを含む引違障子の閉止状態という。本実施形態では、召合せ框５ｅ及び６ｅが、この引違障子の閉止状態において、室内外方向に重なり合うことで、サッシ枠２の横方向（見付方向）略中央に召合せ部を構成している。
【００１７】
図３は、図１のサッシ枠の下枠並びに外障子及び内障子の下框の拡大図である。
下枠２ｂは図３に示すように、室内側横板１１と、中間横板１２と、室外側横板１３とを備える段差を有する形状を有している。室内側横板１１の室外側の端部には、室内側中間縦板１４の上端が接続されている。室内側中間縦板１４の下端には、室内側中間傾斜板１５の上端が接続されており、この室内側中間傾斜板１５の下端は、中間横板１２の室内側の端部が接続されている。また、中間横板１２の室外側の端部には、室外側中間傾斜板１６の上端が接続されている。室外側中間傾斜板１６の下端には、室外側中間縦板１７の上端が接続されており、この室外側中間縦板１７の下端は、室外側横板１３の室内側の端部が接続されている。
【００１８】
室内側横板１１の室外側の端部近傍には、内障子６に向かって延びる内下レール１８が一体的に設けられている。また、室内側横板１１の室内側の端部には、室内側立ち上がり縦板１９が一体的に形成されている。この室内側立ち上がり縦板１９の室外側の面には、内障子６に当接する内側気密材を保持する内側気密材保持部１９ａが内障子６に向かって設けられている。なお、図４においては、図面の理解を容易にするために、内側気密材を図示していない。
【００１９】
中間横板１２の室外側の端部近傍には、内外障子５に向かって延びる外下レール２０が一体的に設けられている。また、室外側横板１３の室外側の端部には、網戸用下レール２１が一体的に形成されている。
【００２０】
室内側中間縦板１４の上端近傍には、外障子５に当接する外側気密材が取り付けられる取付部２２が設けられている。この取付部２２は、室内側中間縦板１４の上端近傍から室外側に向かって延びる突出横板２３と、突出横板２３の室外側の端部に設けられて外障子５に当接する外側気密材を保持する外側気密材保持部２４とを備えている。なお、図２〜図５においては、図面の理解を容易にするために、外側気密材を図示していない。
【００２１】
図４は、サッシ枠２の横方向略中央部分における下枠２ｂを、室外側から見た斜視図である。取付部２２には、引違障子３を構成する外障子５及び内障子６の閉止状態において、召合せ框５ｅ及び６ｅが屋内外方向に重なり合う位置、即ち引違障子３の召合せ部と対向する位置に、切り欠き部２５が形成されている。本実施形態では、切り欠き部２５は、サッシ枠２の横方向略中央に位置している。なお、切り欠き部２５は、引違障子３の召合せ部と対向する位置から、サッシ枠２の横方向の一方に変位した位置に形成されていてもよい。この切り欠き部２５は水抜き用に形成されるもので、閉止状態において内障子６側で、突出横板２３の上面に沿って流れる雨水を、室内側中間傾斜板１５上に落下させる。そのため、閉止状態において、後に詳細に説明する風止板４に向かって流れる雨水の量を減らして、閉止状態において室内側に存在する、外障子５側の突出横板２３の上面に、雨水が浸入することを抑制でき、水密性を向上させることができる。
【００２２】
本実施形態の外側気密材保持部２４は、図３に図示するように、前記突出横板２３の一部と、突出横板２３の室外側の端部から下方向に延びる上側突出部２４ａと、突出横板２３の室外側の端部近傍から上側突出部２４ａと平行に下方向に延びる保持用縦板２４ｂと、保持用縦板２４ｂの下端から室外側に向かって延びる保持用横板２４ｃと、保持用横板２４ｃの室外側の端部から上方向に延びる下側突出部２４ｄとから構成されている。保持用縦板２４ｂには、切り欠き部２５の近傍に、保持用縦板２４ｂを室内側から室外側に向けて貫通する貫通孔２４ｅ（図４参照）が形成されている。
【００２３】
なお、内側気密材及び外側気密材はそれぞれ、内側気密材保持部１９ａ及び外側気密材保持部２４の全体にわたって保持される必要はなく、内側気密材は閉止状態において内障子６と当接する位置に、外側気密材は閉止状態において外障子５と当接する位置に、それぞれ設けられていればよい。
【００２４】
次に図５Ａ乃至図５Ｇ、図６Ａ及び図６Ｂを参照して、本実施形態の風止板４の構成を説明する。図５Ａ乃至図５Ｇは、本実施形態の風止板４のそれぞれ、斜視図、正面図、平面図、底面図、背面図、右側面図及び左側面図である。図６Ａ及び図６Ｂは、風止板４を取り付けた状態の図１のサッシ枠の下枠並びに外障子及び内障子の下框の要部拡大縦横断面図である。
風止板４は、サッシ枠２と、引違障子３の召合せ部の端部との間に配置される。風止板４は本発明の風止板に該当する風止板である。本実施形態では、風止板４は、外障子５及び内障子６の閉止状態において、サッシ枠２の下枠２ｂと、外障子５及び内障子６の召合せ部との間に配置されて、サッシ枠２の下枠２ｂと、外障子５の下部及び内障子６の下部との間から雨水が室内に浸入することを防止する。図５Ａ乃至図５Ｇに示すように、本実施形態の風止板４は、ポリプロピレン等の合成樹脂製の基部４１と、ゴム、ビニール等のエラストマーからなる弾性部４２と、防火性能がサッシに求められる場合に取り付けられる、後述する加熱発泡材４３とから構成されている。なお、加熱発泡材４３を取り付ける場合は、基部４１と弾性部４２とが難燃性材（例えば、ＵＬ９４  Ｖ−０相当品）であることが好ましい。
【００２５】
基部４１は、基部本体４４と、ガイド片４５とを備えている。本実施形態の基部本体４４は、サッシ枠２の下枠２ｂに載置される載置部４６と、この載置部４６の側面の一つに沿って形成された板状部４７とを備えている。
【００２６】
本実施形態の載置部４６は、サッシ枠２の下枠２ｂの上面と対向する略矩形状の下面４６ａと、この下面４６ａと対向する略矩形状の上面４６ｂと、略台形形状を有して室外側に面する第１の側面４６ｃと、第１の側面４６ｃと対向して室内側に面する第２の側面４６ｄと、板状部４７が一体的に形成された第３の側面４６ｅと、第３の側面４６ｅと対向する略矩形状の第４の側面４６ｆとを備えている。図５Ａ及び図５Ｂに示すように、本実施形態の載置部４６は、断面略台形の柱形状を有している。また、図５Ａ及び図５Ｂに示すように、基部本体４４は、載置部４６と板状部４７とにより略Ｌ字状に構成されている。
【００２７】
本実施形態の板状部４７は、上端４７ａが載置部４６の上面４６ｂに接続されている。また本実施形態の板状部４７は、図５Ｇのように、室外側の半部４７ｂの下端４７ｃが、室内側の半部４７ｄの下端４７ｅよりも下方に延在する形状を有している。本実施形態では、板状部４７の室外側の半部４７ｂが、外側気密材を保持する外側気密材保持部２４の、切り欠き部２５に開口する端部に当接することにより、切り欠き部２５側から外側気密材保持部２４内に雨水等が浸入することを抑制している。そして板状部４７の室内側の半部４７ｄの下端４７ｅには、載置部４６の下面４６ａに沿って延びるようにガイド片４５が設けられている。
【００２８】
ガイド片４５は、取付部２２に切り欠き部２５から竪枠２ｃ側に向けてスライドさせるものである。本実施形態では、サッシ枠２の下枠２ｂの室内側中間縦板１４と、外障子５に当接する外側気密材が取り付けられる取付部２２を構成する突出横板２３と、外側気密材保持部２４の保持用縦板２４ｂとの間に挿入される。本実施形態のガイド片４５は、板状部４７の室内側の半部４７ｄの下端４７ｅに一端が接続されて、載置部４６の下面４６ａに沿って延びるように設けられている。本実施形態では、ガイド片４５は、板状部４７の室内側の半部４７ｄの下端４７ｅの全体に設けられており、板形状を有している。本実施形態のガイド片４５は、一端側の厚み寸法が、他端側の厚み寸法よりも厚く形成されている。本実施形態では、ガイド片４５の他端には、載置部４６の下面４６ａに向かって延びる立ち上げ部４５ａが設けられている。この立ち上げ部４５ａは、ガイド片４５の先端（他端）側の端部がテーパ加工されている。
また本実施形態では、ガイド片４５の他端には、板状部４７の室外側の半部４７ｂの下端４７ｃに向かって、載置部４６の下面４６ａに沿って延びるように、ガイド片４５の先端側（他端側）から片持ちに設けられることで、弾性を有するように構成された弾性片４８を備えている。本実施形態では、ガイド片４５の室外側の側面の他端に、弾性片４８の室内側の側面の先端（一方の端部）側が、接続部を介して設けられている。本実施形態では、弾性片４８の室外側の側面の先端（一方の端部）側が、テーパ加工されている。この弾性片４８の板状部４７の室外側の半部４７ｂの下端４７ｃ側の端部（他方の端部）側には、外側気密材保持部２４の保持用縦板２４ｂに形成された貫通孔２４ｅに係止する係止部としての突起４８ａが設けられている。
【００２９】
本実施形態の風止板４においては、弾性部４２は、板状部４７の室外側の側面の一部に設けられた第１の部分４２ａと、載置部４６の第１の側面４６ｃに設けられた第２の部分４２ｂと、載置部４６の第２の側面４６ｄに設けられた第３の部分４２ｃと、載置部４６の第４の側面４６ｆの下部に形成された凹部に設けられた第４の部分４２ｄと、載置部４６の上面４６ｂに設けられた第５の部分４２ｅとを備えており、これらの部分は一体的に形成されている。
【００３０】
本実施形態では、弾性部４２の第１の部分４２ａは、板状部４７の室外側の側面に沿って延びるように形成されている。この第１の部分４２ａの室外側の端部は、板状部４７の室外側の端部よりも室外側に突出するように形成されている。
また弾性部４２の第２の部分４２ｂ及び第３の部分４２ｃはそれぞれ、載置部４６の第１の側面４６ｃ及び第２の側面４６ｄの全体を覆う形状を有している。
本実施形態では、弾性部４２の第４の部分４２ｄは、後述の加熱発泡材を設けるために載置部４６の下面４６ａに凹部を形成した結果、第４の側面４６ｆの下部に形成された凹部に設けられるものであり、その下端が、弾性部４２の第２の部分４２ｂ及び第３の部分４２ｃの下端と面一となるように構成されている。
また、弾性部４２の第５の部分４２ｅは、載置部４６の上面４６ｂにおける、板状部４７との接続部近傍に形成されており、板状部４７側の端部及び載置部４６の第４の側面４６ｆ側の端部には、弾性部４２の第３の部分４２ｃの上端と面一となる高さまで延在する薄肉状の起立部を有している。
【００３１】
本実施形態では、載置部４６の下面４６ａに、加熱発泡材４３を設けるための凹部４９が形成されている。具体的には、載置部４６の第１の側面４６ｃに沿って形成された第１の凹部４９ａと、載置部４６の第４の側面４６ｆに沿って形成された第２の凹部４９ｂとからなる略Ｌ字型の凹部が載置部４６の下面４６ａに形成されている。
本実施形態では、この凹部４９は、載置部４６の下面４６ａの残部と、弾性部４２の第２の部分４２ｂと、弾性部４２の第３の部分４２ｃと、弾性部４２の第４の部分４２ｄとにより囲まれている。
【００３２】
また本実施形態では、載置部４６の第２の側面４６ｄ側に加熱発泡材４３を設けるために、載置部４６の第２の側面４６ｄを矩形の板状としている。そして、弾性部４２の第３の部分４２ｃを、この第２の側面４６ｄの輪郭に沿って形成することにより、第２の側面４６ｄには、加熱発泡材４３を設けるための矩形の凹部５０が形成されている。
以上のように構成された風止板４は、図６Ａ及び図６Ｂに図示したように、外障子５及び内障子６の閉止状態において、サッシ枠２の下枠２ｂと、外障子５及び内障子６の召合せ部の下端との間に配置されている。よって、閉止状態にある外障子５及び内障子６により画される室内側に、雨水が浸入することを防止する。
【００３３】
図７は、加熱発泡材の取付位置を示す風止板４の斜視図である。図７に示すように、載置部４６の下面４６ａに形成されたＬ字型の凹部４９に、この凹部４９に嵌まる形状を有する加熱発泡材４３を、例えば貼り付けることにより取り付ける。同様に、第２の側面４６ｄに形成された矩形の凹部５０には、この凹部５０に嵌まる形状を有する加熱発泡材４３を、例えば貼り付けることにより取り付ける。加熱発泡材は、厚さが数ミリ程度の帯状（板状、シート状）で、加熱により少なくとも板厚方向に発泡（膨張）し、耐火性を有するものであることが好ましく、例えば積水化学工業株式会社製の商品名「フィブロック」を使用できる。
【００３４】
次に本実施形態の風止板を下枠に取り付ける方法について図４を参照して説明する。上述のように、本実施形態の風止板４は、サッシ枠２の下枠２ｂと、サッシ枠２の下枠２ｂに設けられ、かつ、外障子５に当接する外側気密材が取り付けられた取付部２２の突出横板２３との間に挿入されるガイド片４５を有している。そのため、図４に示すように、取付部２２に形成された切り欠き部２５内に、風止板４のガイド片４５を、取付部２２の上面側から挿入する。次いで、風止板４の基部本体４４の載置部４６が、突出横板２３の上面に接触した状態で、挿入されたガイド片４５を、サッシ枠２の下枠２ｂの室内側中間縦板１４と、取付部２２の突出横板２３の下面と、外側気密材保持部２４の保持用縦板２４ｂとの間に挿入し、風止板４をサッシ枠２の横方向（竪枠２ｃ側）に向かって、突起４８ａが貫通孔２４ｅに嵌まって係止するまで、変位させるだけで、風止板４をサッシ枠２の下枠２ｂに取り付けることができる。
【００３５】
図８は、室内側横板１１上に他の風止板５１を取り付けた状態の図１のサッシ枠の下枠並びに外障子及び内障子の下框の拡大図であり、図９は他の風止板５１における加熱発泡材の取付位置を示す他の風止板の斜視図である。なお、他の風止板５１は、本発明の風止板に該当するものではない。他の風止板５１は、室内側横板１１上の、内障子６の召合せ框６ｅの端部との間に配置される。図４に示すように、本実施形態の風止板５１は、閉止状態において下枠２ｂを上枠２ａ側からみたときに、風止板４と少なくとも一部が屋内外方向に重なり合う位置に取付られている。本実施形態の風止板５１もまた、ポリプロピレン等の合成樹脂製の基部５２と、ゴム、ビニール等のエラストマーからなる弾性部５３と、加熱発泡材５４とから構成されている。なお、基部５２と弾性部５３も、風止板４と同様に難燃性材（例えば、ＵＬ９４  Ｖ−０相当品）であることが好ましい。
【００３６】
以下、本実施形態の風止板４の作用効果について説明する。
【００３７】
本実施形態の風止板４は、外障子５に当接する外側気密材が取り付けられた取付部２２及びこの取付部２２に形成された水抜き用の切り欠き部２５を利用して取り付けることができる。そのため、風止板４を取り付ける際に、風止板を取り付けるために従来のように取付開口部及び切欠部を別に形成する必要がない。そのため、サッシ枠の下枠の加工における工数が増加することはなく、複雑化することもない。また、風止板を取り付けるための取付開口部及び切欠部が形成されないため、これらの隙間を経由して雨水や火炎が室内に到達することがない。
以上のように、本実施形態の風止板４によれば、サッシ枠の下枠の加工における工数の増加及び複雑化を抑制でき、かつ、引違障子の召合せ部における水密性を十分に確保でき、しかも、サッシの防火性能を向上させることができる。
【００３８】
本発明にあっては、一実施形態に示すように、ガイド片４５は、取付部２２を構成する保持用縦板２４ｂに係止する係止部４８ａが設けられた弾性片４８を備えることが好ましい。この構成によれば、係止部４８ａによる係止により、取り付けられた風止板４が取付部２２を構成する保持用縦板２４ｂに対して変位することが規制されて、風止板４が取付部２２を構成する保持用縦板２４ｂから脱落することを抑制することができる。また、係止部４８ａは弾性片４８に設けられているため、風止板４を取り付ける際に、係止部４８ａにより、取り付けの抵抗となる力が発生することを抑制することができる。そのため、風止板４の取り付けの容易性を維持しつつ、風止板４の脱落を抑制することができる。
【００３９】
本発明にあっては、一実施形態に示すように、係止部４８ａは、突起であることが好ましい。この構成によれば、係止部４８ａを簡単な構成とすることができるだけでなく、取付部２２を構成する保持用縦板２４ｂに孔または凹部を設けるのみで風止板４を取り付ける際の風止板４の位置決めが可能となり、かつ、風止板４を取り付ける際に抵抗となる力が発生することをより抑制することができる。
【００４０】
本発明にあっては、一実施形態に示すように、弾性片４８は、ガイド片４５の先端側である他端側から片持ちに設けられていることが好ましい。この構成によれば、風止板４を取り付ける際に大きな力が風止板４に加えられても、片持ち構造により弾性片４８に設けられた係止部に加わる力は低減される。また、係止部（突起）４８ａが弾性片４８の板状部４７側である端部側（他方の端部側）に設けられているので、風止板４のスライドが初期の段階で係止部４８ａが抵抗になることがなく、スライドが終了する段階で貫通孔２４ｅに係止する。よって、弾性片４８の片持ち部（根元）に過度な力が加わらないので、風止板４の取り付け時に弾性片４８及び係止部４８ａが破損することを抑制することができる。
【００４１】
本発明にあっては、一実施形態に示すように、防火性能がサッシに求められる場合に、風止板４には、加熱発泡材が取り付けられていることが好ましい。この構成によれば、火災により風止板４が溶融等して失われた場合でも、加熱発泡材による発泡により、火災が室内に到達することを抑制することができる。特に、図１乃至図７の一実施形態に示すように、風止板４の載置部４６の下面４６ａ及び載置部４６の第２の側面４６ｄに設けることにより、火災が室内に到達する経路に加熱発泡材を発泡させることができ、火災が室内に到達することをより抑制することができる。具体的には、加熱発泡材４３が下枠２ｂの突出横板２３と内下レール１８の室外面に面しているので、アルミニウム合金製の下枠が火炎により高温に上昇した熱を感知し易く、加熱発泡材４３を早期に発泡させることができる。
【００４２】
本発明にあっては、一実施形態に示すように、ガイド片４５の先端（他端）には、載置部４６の下面４６ａに向かって延びる立ち上げ部４５ａが設けられていることが好ましい。この構成によれば、風止板４を取り付けるために、ガイド片４５をサッシ枠２の下枠２ｂの室内側中間縦板１４と、取付部２２の突出横板２３と、外側気密材保持部２４の保持用縦板２４ｂとの間に挿入する際に、立ち上げ部４５ａが取付部２２の突出横板２３の下面と接触することにより、風止板の載置部４６の下面４６ａを取付部２２の突出横板２３に付勢する力が風止板４に加わる。そのため、風止板の載置部４６の下面４６ａが、取付部２２の突出横板２３に圧接されて、風止板の載置部４６の下面４６ａと、取付部２２の突出横板２３の上面との間から雨水が浸入することを抑制することができる。また、風止板の載置部４６の下面４６ａを取付部２２の突出横板２３に付勢する力が発生することにより、立ち上げ部４５ａと風止板の載置部４６の下面４６ａとにより、取付部２２の突出横板２３が挟み込まれることとなる。そのため、風止板４を強固に取り付けることができて、風止板４の脱落をより抑制することができる。
【００４３】
本発明にあっては、一実施形態に示すように、立ち上げ部４５ａは、ガイド片４５の先端（他端）側の端部がテーパ加工されていることが好ましい。この構成によれば、風止板４を取り付けるために、ガイド片４５をサッシ枠２の取付部２２に挿入する際に、立ち上げ部４５ａが破損することを抑制することができる。
【００４４】
本発明にあっては、一実施形態に示すように、弾性部４２が、板状部４７の室外側の側面の一部、載置部４６の第１の側面４６ｃ、載置部４６の第２の側面４６ｄ、載置部４６の第４の側面４６ｆの下部に形成された凹部及び載置部４６の上面４６ｂの少なくとも一つに設けられることが好ましい。この構成によれば、風止板４と、風止板４と接触する他の部材（例えば、後述の振れ止め金具６４）との間の水密性を確保することができる。
【００４５】
図１０は変形例にかかるサッシの全体を示す概略図であり、図１１は変形例にかかるサッシのサッシ枠の下枠並びに外障子及び内障子の下框の縦方向における断面の構成の概略を示す図であり、図１２は、変形例にかかるサッシの横方向における断面の構成の概略を示す図である。図１０〜１２に示すように、変形例のサッシ１においては、室内側中間縦板１４の室外側の面の、風止板４が取り付けられる位置に、加熱発泡材６１が設けられている。また、変形例のサッシ１においては、外側気密材保持部２４の内部に沿って加熱発泡材６２が設けられている。さらに、内障子６の召合せ框６ｅ室内側の面にも加熱発泡材６３が設けられている。これらの加熱発泡材６１〜６３を設けることにより、サッシの防火性能をさらに向上させることができる。なお、サッシの各枠並びに外障子５及び内障子６の各框に、他の加熱発泡材を設けてもよいのは勿論である。
【００４６】
図１３は、振れ止め金具６４が取付られた他の変形例にかかるサッシのサッシ枠の下枠並びに外障子及び内障子の下框の縦方向における断面の構成の概略を示す図であり、図１４は、振れ止め金具６４の取付状態を示す図であり、図１５は振れ止め金具６４における加熱発泡材の取付位置を示す振れ止め金具６４の斜視図である。図１３〜図１５に示すように、振れ止め金具６４は、内障子６の閉止状態及び走行状態における揺れ防止のために、内障子６に設けられている。本実施形態では、振れ止め金具は、ポリプロピレンからなる本体部６４ａと、本体部６４ａの下部及び室外側に設けられたゴム、ビニール等のエラストマーからなり、風止板４の弾性部４２に当接する弾性部６４ｂとを備えている。本体部６４ａの上面には、加熱発泡材６４ｃが設けられている。また、本体部６４ａには、サッシ２の横方向の側面にも、加熱発泡材６４ｃが設けられている。なお、本体部６４ａと弾性部６４ｂも、風止板４と同様に難燃性材（例えば、ＵＬ９４  Ｖ−０相当品）であることが好ましい。
このような構成の振れ止め金具６４を採用することにより、内障子６の閉止状態及び走行状態における揺れ防止しつつ、サッシの防火性能を向上させることができる。
【００４７】
本発明は、本発明の風止板を備えるサッシとして把握することができる。
【００４８】
本発明は、以上説明した実施形態に限定されるものではなく、多くの変形が本発明の技術的思想内で当分野において、通常の知識を有する者により可能である。
例えば、外障子及び内障子の障子、または少なくとも１つの障子を建て込んだ建具（引違サッシ、片引きサッシ、両引きサッシ等）において、上述の発明が解決しようとする課題を抱えている場合に、本発明と同様な構成を採用することにより、同課題を解決することができる。
【産業上の利用可能性】
【００４９】
本発明の風止板によれば、サッシ枠の下枠の加工における工数の増加及び複雑化を抑制でき、かつ、引違障子の召合せ部における水密性を十分に確保でき、しかも、サッシの防火性能を向上させることができる。
【符号の説明】
【００５０】
１：サッシ
２：サッシ枠  ２ａ：上枠  ２ｂ：下枠  ２ｃ：竪枠  ２ｄ：竪枠
３：引違障子
４：風止板
５：外障子
５ａ：框枠体  ５ｂ：ガラスパネル  ５ｃ：上框  ５ｄ：下框
５ｅ：召合せ框  ５ｆ：戸先框
６：内障子
６ａ：框枠体  ６ｂ：ガラスパネル  ６ｃ：上框  ６ｄ：下框
６ｅ：召合せ框  ６ｆ：戸先框
１１：室内側横板
１２：中間横板
１３：室外側横板
１４：室内側中間縦板
１５：室内側中間傾斜板
１６：室外側中間傾斜板
１７：室外側中間縦板
１８：内下レール
１９：室内側立ち上がり縦板  １９ａ：内側気密材保持部
２０：外下レール
２１：網戸用下レール
２２：取付部
２３：突出横板
２４：外側気密材保持部
２４ａ：上側突出部  ２４ｂ：保持用縦板  ２４ｃ：保持用横板
２４ｄ：下側突出部  ２４ｅ：貫通孔
２５：切り欠き部
４１：基部
４２：弾性部
４２ａ：第１の部分  ４２ｂ：第２の部分  ４２ｃ：第３の部分
４２ｄ：第４の部分  ４２ｅ：第５の部分
４３：加熱発泡材
４４：基部本体
４５：ガイド片
４５ａ：立ち上げ部
４６：載置部
４６ａ：下面  ４６ｂ：上面  ４６ｃ：第１の側面  ４６ｄ：第２の側面
４６ｅ：第３の側面  ４６ｆ：第４の側面
４７：板状部
４７ａ：上端  ４７ｂ：室外側の半部  ４７ｃ：下端  ４７ｄ：室内側の半部
４７ｅ：下端
４８：弾性片
４８ａ：突起（係止部）
４９：凹部
５０：凹部
５１：他の風止板
５２：基部
５３：弾性部
５４：加熱発泡材
６１：加熱発泡材
６２：加熱発泡材
６３：加熱発泡材
６４：振れ止め金具
６４ａ：本体部
６４ｂ：弾性部
６４ｃ：加熱発泡材
【図１】
2019132080.tif 000003
【図２】
2019132080.tif 000004
【図３】
2019132080.tif 000005
【図４】
2019132080.tif 000006
【図５Ａ】
2019132080.tif 000007
【図５Ｂ】
2019132080.tif 000008
【図５Ｃ】
2019132080.tif 000009
【図５Ｄ】
2019132080.tif 000010
【図５Ｅ】
2019132080.tif 000011
【図５Ｆ】
2019132080.tif 000012
【図５Ｇ】
2019132080.tif 000013
【図６Ａ】
2019132080.tif 000014
【図６Ｂ】
2019132080.tif 000015
【図７】
2019132080.tif 000016
【図８】
2019132080.tif 000017
【図９】
2019132080.tif 000018
【図１０】
2019132080.tif 000019
【図１１】
2019132080.tif 000020
【図１２】
2019132080.tif 000021
【図１３】
2019132080.tif 000022
【図１４】
2019132080.tif 000023
【図１５】
2019132080.tif 000024